(57)【要約】【課題】  適切な証明写真用の画像データを生成することである。【解決手段】画像撮影装置としてのデジタルカメラ１において証明写真を撮影するにあたり、図示しない内蔵の記憶部に記憶されたフォームデータのうちから、入力された証明写真の種類に基づくフォームデータを選択し、オートフォーカスによるフォーカス距離に基づいて撮影レンズ２を含むレンズ光学系を光学ズーム調整し、選択されたフォームデータをスルー画像とともに表示部１３に表示させて、当該フォームデータに合せられた人物を撮影して証明写真用の画像データを生成する。【選択図】  図１
2005109788.tif 000002
【特許請求の範囲】
【請求項１】
被写体を撮影して画像データを取得する画像撮影部と、前記画像撮影部に撮影されるスルー画像を表示する表示部と、を備え、前記画像撮影部により証明写真用の画像データを撮影する画像撮影装置において、
証明写真の種類に対応して被写体の人物を適切な位置及び大きさに合せるためのフォームデータを記憶する記憶部と、
証明写真の種類の入力を受け付ける入力部と、
前記記憶部に記憶されたフォームデータのうちから、前記入力された証明写真の種類に基づくフォームデータを選択する選択部と、
オートフォーカスによるフォーカス距離に基づいて前記画像撮影部を光学ズーム調整する光学ズーム調整部と、
前記選択されたフォームデータをスルー画像とともに前記表示部に表示させて、前記フォームデータに合せられた人物を、前記光学ズーム調整された画像撮影部に撮影させて画像データを取得し、証明写真用の画像データを生成する撮影制御部と、を備えることを特徴とする画像撮影装置。
【請求項２】
前記撮影制御部は、前記光学ズーム調整部による光学ズーム調整が不十分の場合に、前記取得された画像データにデジタルズーム処理を行うことを特徴とする請求項１に記載の画像撮影装置。
【請求項３】
被写体を撮影して画像データを取得する画像撮影部を備え、前記画像撮影部により証明写真用又は記念写真用の画像データを撮影する画像撮影装置において、
証明写真用又は記念写真用の背景データを記憶する記憶部と、
被写体の人物を前記画像撮影部により撮影させて人物画像データを取得し、当該人物の撮影と同一の条件で前記人物を除く背景を前記画像撮影部により撮影させて背景画像データを取得し、前記人物画像データ及び前記背景画像データを比較して共通部分を除いた人物画像部分を切り出し、前記記憶部に記憶された背景データを前記人物画像部分に合成して証明写真用又は記念写真用の画像データを生成する撮影制御部と、を備えることを特徴とする画像撮影装置。
【請求項４】
背景データの選択入力を受け付ける入力部を備え、
前記撮影制御部は、前記選択入力された背景データを前記記憶部から読み出し、当該読み出された背景データを前記人物画像部分に合成することを特徴とする請求項３に記載の画像撮影装置。
【請求項５】
被写体を撮影して画像データを取得する画像撮影部と、前記画像撮影部に撮影されるスルー画像を表示する表示部と、を備え、前記画像撮影部により証明写真用の画像データを撮影する画像撮影装置において、
証明写真の複数の種類の入力を受け付ける入力部と、
前記入力された証明写真の複数の種類に対応する人物枠及び撮影枠をスルー画像とともに前記表示部に表示させて、前記人物枠に合せられた人物を画像撮影部に撮影させて画像データを取得し、証明写真の複数の種類に基づいて前記取得された画像データを加工して証明写真用の画像データを生成する撮影制御部と、を備えることを特徴とする画像撮影装置。
【請求項６】
前記撮影制御部は、前記入力された証明写真の複数の種類に対応する人物枠及び撮影枠のうち、最小サイズの人物枠及び最大サイズの撮影枠をスルー画像とともに前記表示部に表示させることを特徴とする請求項５に記載の画像撮影装置。
【請求項７】
被写体を撮影して画像データを取得する画像撮影部を備え、前記画像撮影部により証明写真用の画像データを撮影する画像撮影装置において、
印刷対象の証明写真の種類及び印刷枚数の入力を受け付ける入力部と、
前記入力された証明写真の種類及び印刷枚数に基づいて、前記画像撮影部により撮影された証明写真用の画像データのうちの印刷記録媒体上に印刷する画像データの配置を示すレイアウトを計算して、当該計算されたレイアウトから最適なレイアウトを決定し、当該決定されたレイアウトに基づいて、前記印刷する画像データを加工して証明写真用の画像データを含む印刷データを生成する印刷データ生成部と、を備えることを特徴とする画像撮影装置。
【請求項８】
前記撮影制御部は、印刷記録媒体上に印刷する画像データの配置を示すレイアウトの計算において、当該印刷記録媒体の少なくとも１つの角に同じ証明写真の種類の画像データを配置することを特徴とする請求項７に記載の画像撮影装置。
【請求項９】
被写体を撮影して画像データを取得する画像撮影部と、前記画像撮影部に撮影されるスルー画像を表示する表示部と、記憶部と、を備える機器に搭載されたコンピュータに、
証明写真の種類に対応して被写体の人物を適切な位置及び大きさに合せるためのフォームデータを前記記憶部に記憶する機能と、
証明写真の種類の入力を受け付ける機能と、
前記記憶部に記憶されたフォームデータのうちから、前記入力された証明写真の種類に基づくフォームデータを選択する機能と、
オートフォーカスによるフォーカス距離に基づいて前記画像撮影部を光学ズーム調整する機能と、
前記選択されたフォームデータをスルー画像とともに前記表示部に表示させて、前記フォームデータに合せられた人物を、前記光学ズーム調整された画像撮影部に撮影させて画像データを取得し、証明写真用の画像データを生成する機能と、
を実現させるための画像撮影プログラム。
【請求項１０】
被写体を撮影して画像データを取得する画像撮影部と、記憶部とを備える機器に搭載されたコンピュータに、
証明写真用又は記念写真用の背景データを前記記憶部に記憶する機能と、
被写体の人物を前記画像撮影部により撮影させて人物画像データを取得し、当該人物の撮影と同一の条件で前記人物を除く背景を前記画像撮影部により撮影させて背景画像データを取得し、前記人物画像データ及び前記背景画像データを比較して共通部分を除いた人物画像部分を切り出し、前記記憶部に記憶された背景データを前記人物画像部分に合成して証明写真又は記念写真用の画像データを生成する機能と、
を実現させるための画像撮影プログラム。
【請求項１１】
被写体を撮影して画像データを取得する画像撮影部と、前記画像撮影部に撮影されるスルー画像を表示する表示部と、を備える機器に搭載されたコンピュータに、
証明写真の複数の種類の入力を受け付ける機能と、
前記入力された証明写真の複数の種類に対応する人物枠及び撮影枠をスルー画像とともに前記表示部に表示させて、前記人物枠に合せられた人物を画像撮影部に撮影させて画像データを取得し、証明写真の複数の種類に基づいて前記取得された画像データを加工して証明写真用の画像データを生成する機能と、
を実現させるための画像撮影プログラム。
【請求項１２】
被写体を撮影して画像データを取得する画像撮影部を備える機器に搭載されたコンピュータに、
印刷対象の証明写真の種類及び印刷枚数の入力を受け付ける機能と、
前記入力された証明写真の種類及び印刷枚数に基づいて、前記画像撮影部により撮影された証明写真用の画像データのうちの印刷記録媒体上に印刷する画像データの配置を示すレイアウトを計算して、当該計算されたレイアウトから最適なレイアウトを決定し、当該決定されたレイアウトに基づいて、前記印刷する画像データを加工して証明写真用の画像データを含む印刷データを生成する機能と、
を実現するための画像撮影プログラム。
【発明の詳細な説明】
【技術分野】
【０００１】
本発明は、画像データを撮影する画像撮影装置及び画像撮影プログラムに関する。
【背景技術】
【０００２】
従来、デジタル画像を撮影するデジタルスチルカメラなどの画像撮影装置があった。デジタルカメラは、一般的に、証明写真を撮影するための機能が設けられていないため、一般のユーザが証明写真を撮影しようとすると、写真サイズ、写真中の顔の面積率などの設定が困難となる。
【０００３】
そこで、撮影したデジタル画像を人物像が証明写真のサイズに対して適切な大きさとなるように、撮影画像データの拡大、縮小及び移動などを行う証明写真用画像撮影装置が考えられている（例えば、特許文献１参照）。具体的には、人物が入った画像データから人物領域の抽出を行い、その人物領域と、所定の証明写真用の撮影領域のパターンとのパターンマッチングを行い、最も一致度の高いところで差分をとるなどして２つの領域を比較し、この比較結果に基づいて撮影画像データの拡大、縮小及び移動などを行う。
【特許文献１】特開平７−３０３２５０号公報
【発明の開示】
【発明が解決しようとする課題】
【０００４】
しかし、特許文献１に記載の証明写真用画像撮影装置では、ユーザが撮影時に適切な撮影領域が分からないため、撮影領域パターンからかなりずれた画像が撮影されてしまい、その後の拡大、縮小などの画像処理負担が増えてしまうおそれがあった。また、その画像処理工程が増えると、証明写真の画質の低下を招くおそれがあった。
【０００５】
また、特許文献１に記載の証明写真用画像撮影装置では、人物領域のサイズ特定にパターンマッチングを行うので、画像処理負担が大きい。デジタル画像撮影装置は、一般に、ユーザが携帯をすることを目的に小型化が図られているので、演算処理能力が小さい。このため、上記負担の大きい演算処理を実行させる場合、処理に時間がかかるおそれがあった。また、デジタル画像撮影装置に高性能の処理チップを導入すると、コストが高くなる問題があった。
【０００６】
また、特許文献１に記載の証明写真用画像撮影装置では、証明写真用の背景（色、幕など）の前で人物を撮影しなければならないため煩わしいという問題があった。また、複数サイズの証明写真用画像データを撮影するには、ユーザが、複数回異なる設定入力及び撮影をしなければならず煩わしいという問題があった。さらに、複数枚数の画像データを一度に印刷することができないという問題があった。
【０００７】
本発明の目的は、適切な証明写真用の画像データを生成することである。さらに詳細に述べると、第１の目的は、証明写真用に適切な人物位置及び大きさの画像データを撮影させるとともに、画像データの人物位置及び大きさの調整の処理負担を少なくして証明写真用の画像データを生成することである。第２の目的は、背景を変更可能に証明写真の画像データを生成することである。第３の目的は、一度の撮影により複数種類の証明写真の画像データを生成することである。第４の目的は、複数枚数の画像データを一度に印刷するためのデータを生成することである。
【課題を解決するための手段】
【０００８】
以上の課題を解決するために、請求項１に記載の発明は、被写体を撮影して画像データを取得する画像撮影部と、前記画像撮影部に撮影されるスルー画像を表示する表示部と、を備え、前記画像撮影部により証明写真用の画像データを撮影する画像撮影装置において、
証明写真の種類に対応して被写体の人物を適切な位置及び大きさに合せるためのフォームデータを記憶する記憶部と、
証明写真の種類の入力を受け付ける入力部と、
前記記憶部に記憶されたフォームデータのうちから、前記入力された証明写真の種類に基づくフォームデータを選択する選択部と、
オートフォーカスによるフォーカス距離に基づいて前記画像撮影部を光学ズーム調整する光学ズーム調整部と、
前記選択されたフォームデータをスルー画像とともに前記表示部に表示させて、前記フォームデータに合せられた人物を、前記光学ズーム調整された画像撮影部に撮影させて画像データを取得し、証明写真用の画像データを生成する撮影制御部と、を備えることを特徴とする。
【０００９】
請求項９に記載の発明は、
被写体を撮影して画像データを取得する画像撮影部と、前記画像撮影部に撮影されるスルー画像を表示する表示部と、記憶部と、を備える機器に搭載されたコンピュータに、
証明写真の種類に対応して被写体の人物を適切な位置及び大きさに合せるためのフォームデータを前記記憶部に記憶する機能と、
証明写真の種類の入力を受け付ける機能と、
前記記憶部に記憶されたフォームデータのうちから、前記入力された証明写真の種類に基づくフォームデータを選択する機能と、
オートフォーカスによるフォーカス距離に基づいて前記画像撮影部を光学ズーム調整する機能と、
前記選択されたフォームデータをスルー画像とともに前記表示部に表示させて、前記フォームデータに合せられた人物を、前記光学ズーム調整された画像撮影部に撮影させて画像データを取得し、証明写真用の画像データを生成する機能と、
を実現させるための画像撮影プログラムである。
【００１０】
請求項１又は９に記載の発明によれば、記憶部に記憶されたフォームデータのうちから、所望の証明写真の種類に基づいてフォームデータを選択し、フォーカス距離に基づいて光学ズーム調整し、選択されたフォームデータをスルー画像とともに表示部に表示させて、フォームデータに合せられた人物が撮影されるので、処理負担の少ないオートフォーカスを用いて被写体の人物を適切な位置及び大きさに合せるように光学ズーム調整できるとともに、所望の証明写真の種類に基づくフォームデータを用いて被写体の人物を自動的に適切な位置及び大きさに合せて撮影して証明写真用の画像データを生成できる。
【００１１】
また、請求項２に記載の発明は、請求項１に記載の画像撮影装置において、
前記撮影制御部は、前記光学ズーム調整部による光学ズーム調整が不十分の場合に、前記取得された画像データにデジタルズーム処理を行うことを特徴とする。
【００１２】
請求項３に記載の発明は、被写体を撮影して画像データを取得する画像撮影部を備え、前記画像撮影部により証明写真用又は記念写真用の画像データを撮影する画像撮影装置において、
証明写真用又は記念写真用の背景データを記憶する記憶部と、
被写体の人物を前記画像撮影部により撮影させて人物画像データを取得し、当該人物の撮影と同一の条件で前記人物を除く背景を前記画像撮影部により撮影させて背景画像データを取得し、前記人物画像データ及び前記背景画像データを比較して共通部分を除いた人物画像部分を切り出し、前記記憶部に記憶された背景データを前記人物画像部分に合成して証明写真用又は記念写真用の画像データを生成する撮影制御部と、を備えることを特徴とする。
【００１３】
請求項１０に記載の発明は、
被写体を撮影して画像データを取得する画像撮影部と、記憶部とを備える機器に搭載されたコンピュータに、
証明写真用又は記念写真用の背景データを前記記憶部に記憶する機能と、
被写体の人物を前記画像撮影部により撮影させて人物画像データを取得し、当該人物の撮影と同一の条件で前記人物を除く背景を前記画像撮影部により撮影させて背景画像データを取得し、前記人物画像データ及び前記背景画像データを比較して共通部分を除いた人物画像部分を切り出し、前記記憶部に記憶された背景データを前記人物画像部分に合成して証明写真又は記念写真用の画像データを生成する機能と、
を実現させるための画像撮影プログラムである。
【００１４】
請求項３又は１０に記載の発明によれば、被写体の人物の撮影により人物画像データを取得し、当該人物の撮影と同一の条件での背景の撮影により背景画像データを取得し、前記人物画像データ及び前記背景画像データを比較して共通部分を除いた人物画像部分を切り出し、背景データを前記人物画像部分に合成して証明写真用又は記念写真用の画像データを生成するので、背景を自在に変更して人物の証明写真又は記念写真を撮影して証明写真用又は記念写真用の画像データを生成できる。
【００１５】
また、請求項４に記載の発明は、請求項３に記載の画像撮影装置において、
背景データの選択入力を受け付ける入力部を備え、
前記撮影制御部は、前記選択入力された背景データを前記記憶部から読み出し、当該読み出された背景データを前記人物画像部分に合成することを特徴とする。
【００１６】
請求項５に記載の発明は、被写体を撮影して画像データを取得する画像撮影部と、前記画像撮影部に撮影されるスルー画像を表示する表示部と、を備え、前記画像撮影部により証明写真用の画像データを撮影する画像撮影装置において、
証明写真の複数の種類の入力を受け付ける入力部と、
前記入力された証明写真の複数の種類に対応する人物枠及び撮影枠をスルー画像とともに前記表示部に表示させて、前記人物枠に合せられた人物を画像撮影部に撮影させて画像データを取得し、証明写真の複数の種類に基づいて前記取得された画像データを加工して証明写真用の画像データを生成する撮影制御部と、を備えることを特徴とする。
【００１７】
請求項１１に記載の発明は、
被写体を撮影して画像データを取得する画像撮影部と、前記画像撮影部に撮影されるスルー画像を表示する表示部と、を備える機器に搭載されたコンピュータに、
証明写真の複数の種類の入力を受け付ける機能と、
前記入力された証明写真の複数の種類に対応する人物枠及び撮影枠をスルー画像とともに前記表示部に表示させて、前記人物枠に合せられた人物を画像撮影部に撮影させて画像データを取得し、証明写真の複数の種類に基づいて前記取得された画像データを加工して証明写真用の画像データを生成する機能と、
を実現させるための画像撮影プログラムである。
【００１８】
請求項５又は１１に記載の発明によれば、入力された証明写真の複数の種類に対応する人物枠及び撮影枠をスルー画像とともに表示部に表示させて、前記人物枠に合せられた人物を画像撮影部に撮影させて画像データを取得し、証明写真の複数の種類に基づいて取得された画像データを加工するので、一度の撮影で、証明写真の複数の種類に対応する証明写真用の画像データを生成できる。
【００１９】
また、請求項６に記載の発明は、請求項５に記載の画像撮影装置において、
前記撮影制御部は、前記入力された証明写真の複数の種類に対応する人物枠及び撮影枠のうち、最小サイズの人物枠及び最大サイズの撮影枠をスルー画像とともに前記表示部に表示させることを特徴とする。
【００２０】
請求項７に記載の発明は、被写体を撮影して画像データを取得する画像撮影部を備え、前記画像撮影部により証明写真用の画像データを撮影する画像撮影装置において、
印刷対象の証明写真の種類及び印刷枚数の入力を受け付ける入力部と、
前記入力された証明写真の種類及び印刷枚数に基づいて、前記画像撮影部により撮影された証明写真用の画像データのうちの印刷記録媒体上に印刷する画像データの配置を示すレイアウトを計算して、当該計算されたレイアウトから最適なレイアウトを決定し、当該決定されたレイアウトに基づいて、前記印刷する画像データを加工して証明写真用の画像データを含む印刷データを生成する印刷データ生成部と、を備えることを特徴とする。
【００２１】
請求項１２に記載の発明は、
被写体を撮影して画像データを取得する画像撮影部を備える機器に搭載されたコンピュータに、
印刷対象の証明写真の種類及び印刷枚数の入力を受け付ける機能と、
前記入力された証明写真の種類及び印刷枚数に基づいて、前記画像撮影部により撮影された証明写真用の画像データのうちの印刷記録媒体上に印刷する画像データの配置を示すレイアウトを計算して、当該計算されたレイアウトから最適なレイアウトを決定し、当該決定されたレイアウトに基づいて、前記印刷する画像データを加工して証明写真用の画像データを含む印刷データを生成する機能と、
を実現するための画像撮影プログラムである。
【００２２】
請求項７又は１２に記載の発明によれば、入力された証明写真の種類及び印刷枚数に基づいて、印刷記録媒体上に印刷する画像データのレイアウトを計算して、適切なレイアウトに基づいて画像データを加工して印刷データを生成するので、証明写真の種類及び印刷枚数に応じた適切なレイアウトで印刷データを生成できる。
【００２３】
請求項８に記載の発明は、請求項７に記載の画像撮影装置において、
前記撮影制御部は、印刷記録媒体上に印刷する画像データの配置を示すレイアウトの計算において、当該印刷記録媒体の少なくとも１つの角に同じ証明写真の種類の画像データを配置することを特徴とする。
【発明の効果】
【００２４】
請求項１又は９に記載の発明によれば、記憶部に記憶されたフォームデータのうちから、所望の証明写真の種類に基づいてフォームデータを選択し、フォーカス距離に基づいて光学ズーム調整し、選択されたフォームデータをスルー画像とともに表示部に表示させて、フォームデータに合せられた人物が撮影されるので、処理負担の少ないオートフォーカスを用いて被写体の人物を適切な位置及び大きさに合せるように光学ズーム調整できるとともに、所望の証明写真の種類に基づくフォームデータを用いて被写体の人物を自動的に適切な位置及び大きさに合せて撮影して証明写真用の画像データを生成できる。
【００２５】
請求項３又は１０に記載の発明によれば、被写体の人物の撮影により人物画像データを取得し、当該人物の撮影と同一の条件での背景の撮影により背景画像データを取得し、前記人物画像データ及び前記背景画像データを比較して共通部分を除いた人物画像部分を切り出し、別に記憶されている背景データを読み出して前記人物画像部分に合成して証明写真用又は記念写真用の画像データを生成するので、背景を自在に変更して人物の証明写真又は記念写真を撮影して証明写真用又は記念写真用の画像データを生成できる。
【００２６】
請求項５又は１１に記載の発明によれば、入力された証明写真の複数の種類に対応する人物枠及び撮影枠をスルー画像とともに表示部に表示させて、前記人物枠に合せられた人物を画像撮影部に撮影させて画像データを取得し、証明写真の複数の種類に基づいて取得された画像データを加工するので、一度の撮影で、証明写真の複数の種類に対応する証明写真用の画像データを生成できる。
【００２７】
請求項７又は１２に記載の発明によれば、入力された証明写真の種類及び印刷枚数に基づいて、印刷記録媒体上に印刷する画像データのレイアウトを計算して、適切なレイアウトに基づいて画像データを加工して印刷データを生成するので、証明写真の種類及び印刷枚数に応じた適切なレイアウトで印刷データを生成できる。
【発明を実施するための最良の形態】
【００２８】
以下、添付図面を参照して本発明に係る第１〜第４の実施の形態を順に説明する。
【００２９】
（第１の実施の形態）
図１〜図６を参照して、本発明に係る第１の実施の形態を説明する。先ず、図１及び図２を参照して、本実施の形態の装置構成を説明する。図１に、本実施の形態のデジタルカメラ１の外観を示し、（ａ）に主に前面の構成を示し、（ｂ）に主に背面の構成を示す。図２に、デジタルカメラ１の内部構成を示す。
【００３０】
図１に示すように、デジタルカメラ１は、略矩形のボディ前面に、撮影レンズ２、セルフタイマランプ３、光学ファインダ窓４、及びストロボ発光部５が配設され、上面には電源キー６及びシャッタキー７が配される。
【００３１】
撮影レンズ２は、光学ズームにより焦点位置を変更可能なレンズとする。
電源キー６は、１回押圧操作する毎に電源をオン／オフするキーであり、シャッタキー７は、撮影モード時にレリーズを指示する一方で、メニュー選択などでは設定／実行を指示するキーとしても機能するものとする。
【００３２】
また、デジタルカメラ１の背面には、モードスイッチ（ＳＷ）８、メニューキー９、十字キー１０、光学ファインダ１１、ストロボチャージランプ１２及び表示部１３を配する。
モードスイッチ８は、例えばスライドスイッチにより構成され、撮影モード「Ｒ」と再生モード「Ｐ」とを切換える。
メニューキー９は、各種メニュー選択時に操作する。
表示部１３は、バックライト付きのカラー液晶パネルで構成されるもので、撮影モード時には電子ファインダとしてモニタ表示を行なう一方で、再生モード時には選択した画像を再生表示する。
【００３３】
なお、図示はしないがこのボディ下面には蓋付きのメモリカードスロットが設けられ、このデジタルカメラ１の記録媒体であるメモリカードが着脱自在に装着されるものとする。また、図示しないが、外部機器と通信するためのケーブルを接続するためのコネクタのスロットも設けられる。
【００３４】
次いで図２により上記デジタルカメラ１の電子回路構成を説明する。
撮影モードでのモニタリング状態においては、モータ（Ｍ）２１の駆動により絞り位置が移動される、撮影レンズ２を含むレンズ光学系２２の撮像素子であるＣＣＤ２３が、タイミング発生器（ＴＧ）２４、垂直ドライバ２５によって走査駆動され、一定周期毎に結像した光像に対応する光電変換出力を１画面分出力する。
【００３５】
この光電変換出力は、アナログ値の信号の状態でＲＧＢの各原色成分毎に適宜ゲイン調整された後に、サンプルホールド回路（Ｓ／Ｈ）２６でサンプルホールドされ、Ａ／Ｄ変換器２７でデジタルデータに変換され、カラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（Direct Memory Access）コントローラ２９に出力される。
【００３６】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００３７】
制御部３２は、ＣＰＵと、後述する色強調処理を含むＣＰＵで実行される動作プログラムを固定的に記憶したＲＯＭ及びワークメモリとして使用されるＲＡＭなどにより構成され、このデジタルカメラ１全体の制御動作を司るもので、上記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
デジタルビデオエンコーダ３５は、上記輝度及び色差信号をＶＲＡＭコントローラ３３を介してＶＲＡＭ３４より定期的に読出し、これらのデータを元にビデオ信号を発生して表示部１３に出力する。
【００３８】
この表示部１３は、上述した如く撮影モード時にはモニタ表示部（電子ファインダ）として機能するもので、デジタルビデオエンコーダ３５からのビデオ信号に基づいた表示を行なうことで、その時点でＶＲＡＭコントローラ３３から取込んでいる画像情報に基づくスルー画像をリアルタイムに表示することとなる。
このように表示部１３にその時点での画像がモニタ画像としてリアルタイムに表示されている状態で、静止画撮影を行ないたいタイミングでキー入力部３６を構成するシャッタキー７を操作すると、トリガ信号を発生する。
【００３９】
制御部３２は、このトリガ信号に応じてその時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Joint Photograph coding Experts Group）回路３７に書込み、このＪＰＥＧ回路３７でＡＤＣＴ（Adaptive  Discrete  Cosine  Transform：適応離散コサイン変換）、エントロピ符号化方式であるハフマン符号化などの処理によりデータ圧縮する。
【００４０】
そして、得た符号データを１画像のデータファイルとしてＪＰＥＧ回路３７から読出し、このデジタルカメラ１の記録媒体として着脱自在に装着されるメモリカード内に封入された、不揮発性メモリであるフラッシュメモリ３８に書込む。さらにフラッシュメモリ３８は別にデジタルカメラ１に内蔵されていてもよい。
そして、１フレーム分の輝度及び色差信号の圧縮処理及びフラッシュメモリ３８への全圧縮データの書込み終了に伴なって、制御部３２はＣＣＤ２３からＤＲＡＭ３１への経路を再び有効にする。
【００４１】
キー入力部３６は、電源キー６、シャッタキー７、モードスイッチ８、メニューキー９及び十字キー１０から構成され、それらのキー操作に伴なう信号は直接制御部３２へ送出される。
上記再生モード時には、制御部３２がフラッシュメモリ３８に記録されている画像データを選択的に読出し、ＪＰＥＧ回路３７で画像撮影モード時にデータ圧縮した手順と全く逆の手順で圧縮されている画像データを伸長し、伸長した画像データをＶＲＡＭコントローラ３３を介してＶＲＡＭ３４に展開して記憶させた上で、このＶＲＡＭ３４より定期的に読出し、これらの画像データを元にビデオ信号を発生して表示部１３で再生出力させる。
【００４２】
なお、キー入力部３６のシャッタキー７が２段階のストロークで動作し、一般的に「半押し」と表現されている第１段階の操作状態でＡＥ（自動露光）処理やＡＦ（オートフォーカス）処理を始めとする撮影の準備を行ない、一般的に「全押し」と表現されている、より強く押圧操作した第２段階の操作状態で撮影を実行するものとする。
【００４３】
また、制御部３２の内部ＲＯＭには、第１の画像撮影プログラムが記憶されているものとする。また、制御部３２は、選択部、光学ズーム調整部、撮影制御部、印刷データ生成部としての機能を有する。
【００４４】
なお、以上の構成はデジタルカメラにおける代表的な構成例を示したに過ぎず、他の構成を有するものであってもよいことはいうまでもない。例えば、デジタルカメラとしては薄型でなくてもよい。
また、画像撮影装置としては、デジタルカメラに限るものではなく、画像撮影機能を有する携帯電話、ＰＨＳ（Personal Handyphone System）、ＰＤＡ（Personal Digital Assistants）などでもよい。
【００４５】
次に、図３〜図６を参照して、デジタルカメラ１の動作を説明する。図３に、第１の画像撮影処理を示す。図４に、フォームデータを示し、（ａ）にフォームデータの表示例を示し、（ｂ）に異なるサイズのフォームデータ例を示す。図５に、焦点距離が１［ｍ］の人物撮影を示し、（ａ）に人物撮影の概略を示し、（ｂ）に人物像の表示例を示す。図６に、焦点距離が２［ｍ］の人物撮影を示し、（ａ）に人物撮影の概略を示し、（ｂ）に人物像の表示例を示す。
【００４６】
図３を参照して、デジタルカメラ１において実行される第１の画像撮影処理を説明する。第１の画像撮影処理は、証明写真用の画像データを撮影する処理である。デジタルカメラ１において、ユーザ（撮影者）によりキー入力部３６から第１の画像撮影処理の実行指示が入力されたことをトリガとして、制御部３２は、内部ＲＯＭなどに記憶されている第１の画像撮影プログラムを読み出し適宜内部のＲＡＭのワークエリアに展開して、第１の画像撮影処理を実行する。以下、各ステップの主体は、特に言及しない場合、制御部３２とする。
【００４７】
予め、撮影時に、手動で被写体までの焦点距離、画像の倍率などの設定を行う手動設定モードか、それらの値を自動で調整する自動調整モードかのいずれかが、ユーザによりキー入力部３６から入力されて設定されるものとする。
【００４８】
先ず、ユーザによりキー入力部３６を介して入力される所望の証明写真の種類が受け付けられる（ステップＳ１１）。証明写真の種類とは、証明写真の縦横比を含むサイズ、カラー／モノクロの指定などである。そして、ステップＳ１１において入力された証明写真の種類に基づいてフォームデータが選択され、その選択されたフォームデータが表示部１３に表示される（ステップＳ１２）。フォームデータは、例えば、デジタルカメラ１内の図示しないフラッシュＲＯＭなどの記憶部に記憶される。ステップＳ１２において、フォームデータは当該記憶部から読み出されて表示部１３に表示される。
【００４９】
ここで、図４を参照して、フォームデータを説明する。フォームデータは、ユーザが被写体の人物を適切なサイズ及び顔の面積率（フォーム内に占める顔画像部分の割合をいう）などで撮影するための指標となる枠であり、ユーザは、図４（ａ）に示すように、表示部１３に表示されるスルー画像とともに表示されたフォームデータ４０に被写体の人物の顔などが収まるように、デジタルカメラ１を位置合せして撮影する。
【００５０】
証明写真は、パスポート用、運転免許証用などにより、２５［ｍｍ］×３０［ｍｍ］、３０［ｍｍ］×４０［ｍｍ］、３５［ｍｍ］×４５［ｍｍ］、などのサイズ種類がある。従って、これらのサイズに対応するフォームデータは、図４（ｂ）に示すように、順に、横縦比が５：６のフォームデータ４１、横縦比が３：４のフォームデータ４２、横縦比が７：９のフォームデータ４３などとなる。
【００５１】
そして、被写体までの焦点距離、画像の倍率などの設定を手動で行う手動設定モードか否かが判別される（ステップＳ１３）。手動設定モードでない場合（ステップＳ１３；ＮＯ）、自動調整モードであり、オートフォーカスによりフォーカス距離が取得される（ステップＳ１４）。ユーザが、デジタルカメラ１の撮影レンズ２を被写体に向け、シャッタキー７を半押ししてオートフォーカスをあてると、フォーカス距離が測定される。オートフォーカスは、例えば、アクティブ方式、位相検出方式、コントラスト検出方式などによりフォーカス距離が測定される。このオートフォーカス処理は、パターンマッチングなどの画像処理に比べて制御部３２の処理負担が小さい。
【００５２】
ここで、仮に撮影される人物５０の顔の大きさが通常の大きさのものであったときに、図５（ａ）（ｂ）に示すように、例えばフォーカス距離を１［ｍ］として撮影を行うと、適切な画像を撮影できるようなシステムになっているものとする。このようなシステムにおいて、ユーザが実際に撮影を行おうとしてカメラを被写体に向けて構えて、その後、上記のステップＳ１４に示したオートフォーカス処理によって、例えば、図６（ａ）（ｂ）に示すようにフォーカス距離が２［ｍ］と測定された場合には、人物像５２が人物像５１よりも小さくなってしまうため、これを補正することが望ましい。この場合、適切な画像が撮れるフォーカス距離（上では１ｍ）と、実際の被写体までのオートフォーカス距離（上では２ｍ）とから、どのような画像倍率で拡大若しくは縮小の補正を行えばよいかが求められる。
【００５３】
そして、適切な人物像となるための画像倍率が算出され、その算出された倍率に基づいてレンズ光学系２２の駆動により光学ズームが行われる（ステップＳ１５）。図６（ｂ）に示すように、表示部１３中の人物像５２の大きさが人物像５１となるような倍率が算出され、光学ズームが行われる。
【００５４】
そして、ステップＳ１５において算出された倍率に対して、光学ズームで十分か否かが判別される（ステップＳ１７）。光学ズームで十分である場合（ステップＳ１６；ＹＥＳ）、ステップＳ１８に移行される。一方、例えば、算出された倍率が４倍であるにも関わらず、デジタルカメラ１の光学ズーム機能が最大３倍である場合には不十分となる。光学ズームで十分でない場合（ステップＳ１６；ＹＥＳ）、不足分の倍率を補うための画像データそのものをソフトウェア的に拡大／縮小するデジタルズームの倍率がセットされる（ステップＳ１７）。デジタルズームの倍率は、例えば、制御部３２の内部ＲＡＭに格納される。
【００５５】
そして、ユーザによるシャッタキー７の全押し入力の受け付けにより、設定された光学ズームで被写体の人物が撮影される（ステップＳ１８）。一方、手動設定モードである場合（ステップＳ１３；ＹＥＳ）、ユーザのキー入力部３６を介した手動入力を受け付けて、フォーカス距離、倍率、光学ズーム、デジタルズームの設定などが行われ（ステップＳ１９）、ステップＳ１８に移行される。
【００５６】
そして、ステップＳ１８において撮影された画像データがＤＲＡＭ３１に一旦格納される（ステップＳ２０）。そして、ステップＳ１７においてデジタルズームの倍率がセットされたか否かにより、デジタルズームが必要であるか否かが判別される（ステップＳ２２）。デジタルズームが必要でない場合（ステップＳ２１；ＮＯ）には、デジタルズーム処理は行わずに、直ちにステップＳ２３に移行する。一方、デジタルズームが必要である場合（ステップＳ２１；ＹＥＳ）、ＤＲＡＭ３１に格納されている画像データに対して、ステップＳ１７において設定されたデジタルズームの倍率に基づいてデジタルズーム処理が施され、その後デジタルズームの倍率を記憶している一時記憶領域の記憶内容がクリアされる（ステップＳ２２）。
【００５７】
そして、ＤＲＡＭ３１に格納された画像データに、ＪＰＥＧの符号化などが施されて、その画像データがフラッシュメモリ３８に記憶され（ステップＳ２３）、第１の画像撮影処理が終了される。
【００５８】
以上、本実施の形態によれば、デジタルカメラ１内に記憶されたフォームデータのうちから、所望の証明写真の種類に基づいてフォームデータを選択し、フォーカス距離に基づいて光学ズーム調整し、選択されたフォームデータをスルー画像とともに表示部に表示させて、フォームデータに合せられた人物が撮影されるので、処理負担の少ないオートフォーカスを用いて被写体の人物を適切な位置及び大きさに合せるように光学ズーム調整できるとともに、所望の証明写真の種類に基づくフォームデータを用いて被写体の人物を自動的に適切な位置及び大きさに合せて撮影して証明写真用の画像データを生成できる。
【００５９】
また、光学ズームによるズームが適切な倍率に対して不十分である場合に、撮影された画像データに対してデジタルズーム処理を施すので、適切な倍率へのズーム不足を防ぎ、被写体の人物を自動的に適切な位置及び大きさに合せて撮影して証明写真用の画像データを生成できる。
【００６０】
なお、本実施の形態において、第１の画像撮影処理のステップＳ１１において、証明写真の種類としてモノクロ指定が入力された場合に、ステップＳ２３の実行前に、画像データに対してグレースケール化を施す構成としてもよい。
【００６１】
（第２の実施の形態）
図７〜図１１を参照して、本発明に係る第２の実施の形態を説明する。図７に、第２の画像撮影処理を示す。図８に、人物撮影の状態を示す。図９に、背景撮影の状態を示す。図１０に、人物の画像データＦ１と背景の画像データＦ２との比較を示す。図１１に、証明写真の画像データＦ３を示す。
【００６２】
本実施の形態に用いるデジタルカメラ１の装置構成は、第１の実施の形態と同様である。また、制御部３２の内部ＲＯＭには、第１の画像撮影プログラムとともに、第２の画像撮影プログラムが記憶される。
【００６３】
次に、図７〜図１１を参照して、本実施の形態におけるデジタルカメラ１の動作を説明する。図７を参照して、デジタルカメラ１において実行される第２の画像撮影処理を説明する。第２の画像撮影処理は、背景を変更自在に証明写真用の画像データを撮影する処理である。デジタルカメラ１において、ユーザ（撮影者）によりキー入力部３６から第２の画像撮影処理の実行指示が入力されたことをトリガとして、制御部３２は、内部ＲＯＭなどに記憶されている第２の画像撮影プログラムを読み出し適宜内部のＲＡＭのワークエリアに展開して、第２の画像撮影処理を実行する。
【００６４】
先ず、図３に示す第１の画像撮影処理が実行され、被写体が人物である画像データが撮影される（ステップＳ３１）。そして、ステップＳ３１の第１の画像撮影処理において用いられたフォーカス距離及びデジタルズームの倍率が、制御部３２の内部ＲＡＭにセットされる（ステップＳ３２）。人物撮影時にデジタルズームの倍率がセットされていない場合は、フォーカス距離のみがセットされる。
【００６５】
具体的には、例えば、図８に示すように、第１の画像撮影処理において背景６０の前の人物５０が撮影された場合のフォーカス距離がフォーカス距離ＦＬ１であるとすると、ステップＳ３２においても、フォーカス距離ＦＬ１と、そのデジタルズーム倍率とがセットされる。また、ステップＳ３２においては、レンズ光学系２２の駆動に変更がないものとし、光学ズームの倍率が変化しないものとする。すなわち、以後のステップＳ３３において、人物の存在しない、背景のみの画像を撮影する際のフォーカス距離やズーム倍率として、人物にピントを合わせて撮影したステップＳ３１での設定がそのまま用いられるという構成になっているのである。しかし、光学ズームの倍率も再セットする構成でもよい。
【００６６】
そして、ユーザによるシャッタキー７の全押し入力の受け付けにより、セットされたフォーカス距離とデジタルデータの倍率で背景が撮影される（ステップＳ３３）。例えば、図９に示すように、ステップＳ３３において、図８の人物撮影時のデジタルカメラ１の位置から、フォーカス距離ＦＬ１により、背景６０にデジタルカメラ１の撮影レンズ２が向けられて撮影される。
【００６７】
そして、ステップＳ３３において撮影された背景の画像データがＤＲＡＭ３１に一旦格納される（ステップＳ３４）。そして、ステップＳ３２において、デジタルズームの倍率がセットされたか否かにより、デジタルズームが必要か否かが判別される（ステップＳ３５）。
【００６８】
デジタルズームが必要である場合（ステップＳ３５；ＹＥＳ）、ＤＲＡＭ３１に格納された背景の画像データに対して、ステップＳ３２においてセットされた倍率でデジタルズーム処理が施され、セットされているデジタルズームの倍率を記憶している一時記憶領域の記憶内容がクリアされる（ステップＳ３６）。
【００６９】
そして、フラッシュメモリ３８に記憶されている人物の画像データが読み出され、ＪＰＥＧ方式の伸長が施され、ＤＲＡＭ３１に格納される（ステップＳ３７）。そして、ＤＲＡＭ３１に格納される人物及び背景の両画像データの位置合わせが行われる（ステップＳ３８）。ユーザの撮影時の手ぶれなどがあるため人物及び背景の両画像データの撮影位置が完全に一致していない場合があるためである。例えば、人物及び背景の２枚の画像データをずらしながら、証明写真の枠付近の画像部分の相関をとり、最も相関が高い位置に合わせられる。証明写真の枠付近の画像部分の相関をとるのは、証明写真の枠内の中心付近の画像部分の相関は人物の有無や背景の画像次第でかなり異なるためである。例えば、図１０に示すように、人物の画像データＦ１と、背景の画像データＦ２の位置合わせが行われる。
【００７０】
そして、ステップＳ３８において合わされた位置で、人物及び背景の両画像データの一致する画像部分が切り出される（ステップＳ３９）。例えば、図１０に示すように、人物の画像データＦ１と、背景の画像データＦ２の人物像５３以外の部分が切り出される。なお、この切り出し領域は、必要に応じて、両画像データが一致しない部分（すなわち、顔画像部分であると考えられる部分）を囲む四角形などの所定の形状で切り出すように構成してもよい。そして、ステップＳ３９において一致部分が切り出された画像部分において、変化画像部分が人物部分として抽出される（ステップＳ４０）。例えば、図１０に示すように、人物の画像データＦ１と、背景の画像データＦ２との変化部分である人物像５３が抽出される。ここで、ステップＳ３９の「一致した画像部分を切り出す」処理を省略して、直接ステップＳ４０の「変化画像部分」を抽出するように構成することも可能である。
【００７１】
そして、ステップＳ４０において抽出された変化画像部分の残りの領域（背景画像部分）に、証明写真用の背景が設定される（ステップＳ４１）。例えば、証明写真の背景として、白、灰などの色が設定され、背景がその指定された色でべた塗りされるように設定される。また、デジタルカメラ１内のＲＯＭなどのメモリに予め背景用の色データや画像データが記憶され、その背景用のデータが読み出されて背景に設定される構成としてもよい。背景用の画像データとしては、無地、シンプルな模様など証明写真用の背景として適切な画像が用いられる。また、証明写真用だけでなく、記念写真用の背景データとして、エンジ、青、濃緑などの色データや、幕などの画像データなどの記念写真に適したデータが用いられる構成でもよい。
【００７２】
そして、第１の画像撮影処理において設定された証明写真のサイズに対応するフォームに基づいて、背景が設定された画像変化部分が証明写真用の画像データとして切り出される（ステップＳ４２）。そして、例えば、第１の画像撮影処理のステップＳ１１において、証明写真の種類として画像データのモノクロ指定がされているか否かが判別される（ステップＳ４３）。モノクロ指定がされている場合（ステップＳ４３；ＹＥＳ）、ステップＳ４２において切り出された証明写真用の画像データがグレースケール化され、モノクロの画像データに変更される（ステップＳ４４）。
【００７３】
そして、ステップＳ４２又はＳ４３において生成されたカラー又はモノクロの証明写真用の画像データにＪＰＥＧの符号化などが施され、フラッシュメモリ３８に記憶され（ステップＳ４５）、第２の画像撮影処理が終了される。モノクロ指定がされていない場合（ステップＳ４３；ＮＯ）、ステップＳ４５に移行される。
【００７４】
以上、本実施の形態によれば、被写体の人物の撮影により人物の画像データを取得し、当該人物の撮影と同一のフォーカス距離、光学ズーム及びデジタルズーム倍率での背景の撮影により背景の画像データを取得し、前記人物の画像データ及び前記背景の画像データを比較して共通部分を除いた人物画像部分を切り出し、背景データを前記人物画像部分に合成して証明写真用の画像データを生成するので、背景を自在に変更して人物の証明写真を撮影して証明写真用の画像データを生成できる。
【００７５】
（第３の実施の形態）
図１２及び図１３を参照して、本発明に係る第３の実施の形態を説明する。図１２に、第３の画像撮影処理を示す。図１３に、異なるサイズの枠を示し、（ａ）に横縦比７：９の枠サイズを示し、（ｂ）に横縦比３：４の枠サイズを示し、（ｃ）に横縦比５：６の枠サイズを示し、（ｄ）に異なるサイズの枠の表示例を示す。
【００７６】
本実施の形態に用いるデジタルカメラ１の装置構成は、第１の実施の形態と同様である。また、制御部３２の内部ＲＯＭには、第１及び第２の画像撮影プログラムとともに、第３の画像撮影プログラムが記憶される。
【００７７】
次に、図１２及び図１３を参照して、デジタルカメラ１の動作を説明する。図７を参照して、デジタルカメラ１において実行される第２の画像撮影処理を説明する。第３の画像撮影処理は、複数のサイズの証明写真用の画像データを撮影する処理である。デジタルカメラ１において、ユーザ（撮影者）によりキー入力部３６から第３の画像撮影処理の実行指示が入力されたことをトリガとして、制御部３２は、内部ＲＯＭなどに記憶されている第３の画像撮影プログラムを読み出し適宜内部のＲＡＭのワークエリアに展開して、第３の画像撮影処理を実行する。
【００７８】
先ず、ユーザにより入力される、所望の証明写真の種類がキー入力部３６を介して受け付けられる（ステップＳ５１）。ステップＳ５１においては、証明写真の種類として、１又は複数の証明写真サイズが入力可能である。そして、ステップＳ５１において入力された証明写真の種類の証明写真サイズから、証明写真の最大及び最小比率が算出される（ステップＳ５２）。比率とは、例えば、縦の長さを一致させる場合の横の長さの比率（横／縦比）である。最大比率とは、最大の横／縦比が最大のものである。最小比率とは、横／縦比が最小のものである。例えば、図１３（ａ），（ｂ），（ｃ）に示すように、横／縦比が０．７８、０．７５、０．８３の証明写真サイズ７１，７２，７３がある場合、最大比率が０．８３であり、最大比率が０．７５となる。
【００７９】
また、証明写真サイズの比率に対応して、表示部１３のフォームデータの表示領域としての枠が予め設定されている。そして、算出された最大比率に対応する枠である最大の撮影枠が選択される（ステップＳ５３）。撮影枠とは、撮影される場合に表示しなければならない範囲である。また、算出された最小比率に対応する枠である最小の人物枠が選択される（ステップＳ５４）。人物枠とは、この中に必ず人物を収めなければならない範囲である。
【００８０】
そして、ステップＳ５３，Ｓ５４において選択された最大の撮影枠及び最小の人物枠に基づいて、表示部１３にフォームデータを含む電子ファインダとしての画像が表示される（ステップＳ５５）。例えば、図１３（ｄ）に示すように、表示部１３において最大の撮影枠７３内に、最小比率の人物枠７２と、当該人物枠７２に対応するフォームデータとが表示される。そして、撮影時に、そのフォームデータに人物像５４が合せられる。また、図１３（ｄ）に示すように、表示部１３において全ての枠７１，７２，７３と、枠７２に対応するフォームデータとが重ねられて表示される構成でもよい。
【００８１】
そして、図７に示す第２の画像撮影処理が実行され、背景が変更された画像データが撮影される（ステップＳ５６）。但し、第２の画像撮影処理内の第１の画像撮影処理（ステップＳ３１）で実行される、図３のフローチャート中のステップＳ１１，Ｓ１２の処理は、ステップＳ５１，Ｓ５５に相当するので、実行されない。
【００８２】
そして、所望の全ての証明写真サイズのフォームデータのうち、未選択のフォームデータが１つ選択される（ステップＳ５７）。そして、ステップＳ５６において撮影されフラッシュメモリ３８に記憶された画像データに対して、ステップＳ５７において選択されたフォームデータに合せた拡大又は縮小が施される（ステップＳ５８）。そして、ステップＳ５８において拡大又は縮小された画像データに対して、ステップＳ５７において選択されたフォームデータに合せて左右部分がカットされる（ステップＳ５９）。
【００８３】
そして、ステップＳ５９において左右部分がカットされた画像データがフラッシュメモリ３８に記憶される（ステップＳ６０）。そして、ステップＳ５７において、所望の全ての証明写真サイズのフォームデータが選択されたか否かが判別される（ステップＳ６１）。全てのフォームデータが選択されていない場合（ステップＳ６１；ＮＯ）、ステップＳ５７に移行される。全てのフォームデータが選択された場合（ステップＳ６１；ＹＥＳ）、第３の画像撮影処理が終了される。
【００８４】
以上、本実施の形態によれば、入力された証明写真の複数のサイズに対応する最小サイズの人物枠及び最大サイズの撮影枠をスルー画像とともに表示部１３に表示させて、前記人物枠に合せられた人物が撮影されて画像データを取得し、証明写真の複数のサイズに基づいて前記取得された画像データを加工するので、一度の撮影で、証明写真の複数のサイズに対応する証明写真用の画像データを生成できる。
【００８５】
（第４の実施の形態）
図１４及び図１５を参照して、本発明に係る第４の実施の形態を説明する。図１４に、印刷データ生成処理を示す。図１５に、印刷データのレイアウト例を示し、（ａ）にレイアウト８１を示し、（ｂ）にレイアウト８２を示し、（ｃ）にレイアウト８３を示す。
【００８６】
本実施の形態に用いるデジタルカメラ１の装置構成は、第１の実施の形態と同様である。また、制御部３２の内部ＲＯＭには、第１、第２及び第３の画像撮影プログラムとともに、印刷データ作成プログラムが記憶される。
【００８７】
次に、図１２及び図１３を参照して、デジタルカメラ１の動作を説明する。図１４を参照して、デジタルカメラ１において実行される印刷データ生成処理を説明する。印刷データ生成処理は、第１、第２又は第３の画像撮影処理実行後、撮影された証明写真用の画像データに基づいて複数の画像データがレイアウトされて印刷データが生成される処理である。
【００８８】
デジタルカメラ１において、ユーザによりキー入力部３６から印刷データ生成処理の実行指示が入力されたことをトリガとして、制御部３２は、内部ＲＯＭなどに記憶されている印刷データ生成プログラムを読み出し適宜内部のＲＡＭのワークエリアに展開して、印刷データ生成処理を実行する。
【００８９】
先ず、ユーザにより入力される、印刷希望の証明写真のサイズと、証明写真を印刷する印刷紙のサイズと、サイズごとの証明写真の印刷枚数と、がキー入力部３６を介して受け付けられる（ステップＳ７１）。そして、ステップＳ７１において入力された証明写真及び印刷紙のサイズ並びに証明写真の印刷枚数に基づいて、印刷紙に印刷するための印刷データのレイアウトが計算される（ステップＳ７２）。例えば、図１５に示すように、印刷紙のサイズが１００［ｍｍ］×１５０［ｍｍ］に設定され、１つの画像データ８１１の証明写真サイズが３０［ｍｍ］×４０［ｍｍ］に設定される場合を考える。
【００９０】
１１枚の画像データ８１１を配置する場合には、図１５（ａ）に示すレイアウト８１が計算される。レイアウト８１は、画像データ８１１を最も多く配置でき、１１枚の画像データ８１１が配置できるレイアウトの１つである。９枚の画像データ８１１を配置する場合には、図１５（ｂ）又は（ｃ）に示すレイアウト８２又は８３が計算される。レイアウト８２は、レイアウト８３に比べて切りしろが多い。レイアウト８３は、レイアウト８２に比べて切りしろが少ない。
【００９１】
レイアウトの計算の仕方は、画像データの単純なマトリックス状の配置の場合（例えば、図１５（ｃ）のレイアウト８３）、例えば、所望の証明写真の印刷枚数の２つの約数を求め、その２つの約数により縦及び横の配置数を決め、所望の証明写真の印刷枚数に約数がない場合、当該印刷枚数を１ずつカウントアップしていくとともに、上記２つの約数により縦及び横の配置数を決めていき、レイアウトが決まれば、カウントアップした写真データを除くことにより、レイアウトが計算される。
【００９２】
そして、証明写真の印刷データのレイアウトとして、ステップＳ７２において計算されたレイアウトのうち最も好ましいものに決定される（ステップＳ７３）。例えば、図１５に示すように、画像データ８１１を９枚印刷する場合に、レイアウト８２，８３のうち、切りしろの少ないレイアウト８３が決定される。
【００９３】
そして、印刷対象の画像データがフラッシュメモリ３８から読み出され、画像データに切りしろ線が付加される（ステップＳ７４）。そして、印刷データのレイアウトに画像データの回転が必要であるか否かが判別される（ステップＳ７５）。画像データの回転が必要である場合（ステップＳ７５；ＹＥＳ）、画像データが適量回転される（ステップＳ７６）。例えば、図１５（ｃ）において、画像データ８１１は、左回転に９０°回転されてレイアウトされる。
【００９４】
そして、ステップＳ７３において決定されたレイアウトに基づいて、ステップＳ７４において切りしろ線が付加された画像データと、ステップＳ７５において回転された画像データと、が印刷枚数分コピーされ、そのコピーされた複数の画像データが合併（マージ）されて印刷データが生成される（ステップＳ７７）。画像データの回転が必要でない場合（ステップＳ７５；ＮＯ）、ステップＳ７７に移行される。
【００９５】
そして、ステップＳ７６において生成された印刷データがフラッシュメモリ３８に記憶され（ステップＳ７８）、印刷データ生成処理が終了される。
【００９６】
デジタルカメラ１は、図示しない接続ケーブルを介して、銀塩写真プリンタ、レーザプリンタ、インクジェットプリンタなどの印刷装置に接続される。そして、印刷データ生成処理において生成された証明写真用の印刷データがデジタルカメラ１から印刷装置に送信される。そして、印刷装置において印刷データが受信され、その印刷データが記録媒体としての印刷紙に印刷される。ユーザは、印刷紙に印刷された証明写真の画像を切り取り線に沿ってはさみなどで切り取る。なお、印刷装置が、切り取り線に沿ってミシン目などの切り込みを自動的に入れる機能を有する構成としてもよい。また、記録媒体はＯＨＰシートなどでもよい。
【００９７】
以上、本実施の形態によれば、入力された証明写真の種類及び印刷枚数に基づいて、印刷紙上に印刷する画像データのレイアウトを計算して、適切なレイアウトに基づいて画像データを加工して印刷データを生成するので、証明写真の種類及び印刷枚数に応じた適切なレイアウトで印刷データを生成できる。
【００９８】
（第４の実施の形態の変形例）
図１６を参照して、上記第４の実施の形態の変形例を説明する。図１６に、複数サイズの画像データを有する印刷データのレイアウト例を示し、（ａ）に通常のレイアウト例を示し、（ｂ）に印刷紙の角を利用したレイアウト例を示す。
【００９９】
第４の実施の形態において、例えば、印刷対象の画像データは、証明写真サイズの異なる３種類の画像データ８１２，８１３，８１４であるとする。画像データ８１２，８１３，８１４に対応する印刷枚数が、それぞれ２，４，４であるとすると、図１６（ａ）に示すようなレイアウト８４が決定される。
【０１００】
しかし、レイアウト８４においては、証明写真サイズの異なる３種の画像データが接しているため、印刷データを印刷紙に印刷した場合に、はさみ、カッターなどで切り取るのが難しくなるおそれがある。そこで、印刷先の印刷紙枠の四隅の角を利用し、１つの角に１種類の画像データが対応するようにレイアウトすれば好ましい。例えば、図１６（ｂ）に示すように、印刷紙枠の３つの角にそれぞれ画像データ８１３，８１２，８１４をそれぞれ配置するレイアウト８５が決定される。すると、各角で画像データのサイズが揃っているため、印刷後に各画像データの証明写真を切り取ることが容易な印刷データを生成できる。さらに、印刷紙枠の角を利用しているので、切り取り線自体を減らすことができるので、各画像データの証明写真をさらに容易に美しく切り取ることが容易な印刷データを生成できる。
【０１０１】
なお、上述した各実施の形態における記述は、本発明に係る好適な画像撮影装置の一例であり、これに限定されるものではない。
また、上記第４の実施の形態及び変形例においては、画像データを撮影後に、新たに印刷データ生成処理が実行される構成であるが、第１〜第３の画像撮影処理に、印刷データ生成処理が組み込まれる処理としてもよい。
【０１０２】
また、上記第４の実施の形態及び変形例においては、印刷データ生成処理がデジタルカメラ１において実行される構成であったが、デジタルカメラ１からメモリカード又は接続ケーブルを介して画像データが入力されたＰＣ（Personal Computer）などの外部機器において実行される構成でもよい。
【図面の簡単な説明】
【０１０３】
【図１】デジタルカメラ１の外観を示す図であり、（ａ）は主に前面の構成を示す図であり、（ｂ）は主に背面の構成を示す図である。
【図２】デジタルカメラ１の内部構成を示すブロック図である。
【図３】本発明に係る第１の実施の形態の第１の画像撮影処理を示すフローチャートである。
【図４】フォームデータを示す図であり、（ａ）はフォームデータの表示例を示す図であり、（ｂ）は異なるサイズのフォームデータ例を示す図である。
【図５】焦点距離が１［ｍ］の人物撮影を示す図であり、（ａ）は人物撮影の概略を示す図であり、（ｂ）は人物像の表示例を示す図である。
【図６】焦点距離が２［ｍ］の人物撮影を示す図であり、（ａ）は人物撮影の概略を示す図であり、（ｂ）は人物像の表示例を示す図である。
【図７】本発明に係る第２の実施形態の第２の画像撮影処理を示すフローチャートである。
【図８】人物撮影の状態を示す図である。
【図９】背景撮影の状態を示す図である。
【図１０】人物の画像データＦ１と背景の画像データＦ２との比較を示す図である。
【図１１】証明写真の画像データＦ３を示す図である。
【図１２】本発明に係る第３の実施の形態の第３の画像撮影処理を示すフローチャートである。
【図１３】異なるサイズの枠を示す図であり、（ａ）は横縦比７：９の枠サイズを示す図であり、（ｂ）は横縦比３：４の枠サイズを示す図であり、（ｃ）は横縦比５：６の枠サイズを示す図であり、（ｄ）は異なるサイズの枠の表示例を示す図である。
【図１４】本発明に係る第４の実施の形態における印刷データ生成処理を示すフローチャートである。
【図１５】印刷データのレイアウト例を示す図であり、（ａ）はレイアウト８１を示す図であり、（ｂ）はレイアウト８２を示す図であり、（ｃ）はレイアウト８３を示す図である。
【図１６】複数サイズの画像データを有する印刷データのレイアウト例を示す図であり、（ａ）は通常のレイアウト例を示す図であり、（ｂ）は印刷紙の角を利用したレイアウト例を示す図である。
【符号の説明】
【０１０４】
１  デジタルカメラ
２  撮影レンズ
３  セルフタイマランプ
４  光学ファインダ窓
５  ストロボ発光部
６  電源キー
７  シャッタキー
８  モードスイッチ
９  メニューキー
１０  十字キー
１１  光学ファインダ
１２  ストロボチャージランプ
１３  表示部
２１  モータ（Ｍ）
２２  レンズ光学系
２３  ＣＣＤ
２４  タイミング発生器（ＴＧ）
２５  垂直ドライバ
２６  サンプルホールド回路（Ｓ／Ｈ）
２７  Ａ／Ｄ変換器
２８  カラープロセス回路
２９  ＤＭＡコントローラ
３０  ＤＲＡＭインタフェース（Ｉ／Ｆ）
３１  ＤＲＡＭ
３２  制御部
３３  ＶＲＡＭコントローラ
３４  ＶＲＡＭ
３５  デジタルビデオエンコーダ
３６  キー入力部
３７  ＪＰＥＧ回路
３８  フラッシュメモリ
【図１】
2005109788.tif 000003
【図２】
2005109788.tif 000004
【図３】
2005109788.tif 000005
【図４】
2005109788.tif 000006
【図５】
2005109788.tif 000007
【図６】
2005109788.tif 000008
【図７】
2005109788.tif 000009
【図８】
2005109788.tif 000010
【図９】
2005109788.tif 000011
【図１０】
2005109788.tif 000012
【図１１】
2005109788.tif 000013
【図１２】
2005109788.tif 000014
【図１３】
2005109788.tif 000015
【図１４】
2005109788.tif 000016
【図１５】
2005109788.tif 000017
【図１６】
2005109788.tif 000018